(57)【要約】【課題】インクジェット記録ヘッドへの紙粉・塵埃等の異物の付着を確実に防止する。【解決手段】インクジェット記録ヘッド４２に隣接する位置には、ノズル列をカバーする幅を有する導電性ブラシ５２が、先端が記録用紙Ｐと接触しないように設けられている。導電性ブラシ５２とノズルプレート４２ｂは同電位形成手段５０Ａに接続されており、これによりこれらがアース（０）電位となって、これらの間に電界が形成されない状態（無電界状態）が形成されている。これにより記録領域においては紙粉等にクーロン力を及ぼすということがなく、ノズルプレート４２ｂ側への紙粉等の飛翔・付着が防止される。【選択図】図４
2011156779.tif 000002
【特許請求の範囲】
【請求項１】
被噴射媒体に液体を噴射する液体噴射ノズルを複数備えた液体噴射手段と、
前記液体噴射手段に隣接して設けられ、少なくとも前記液体噴射ノズルの配置領域をカバーする幅を有するとともに設置状態において前記配置領域をカバーする、先端が被噴射媒体と対向する導電性部材と、
前記導電性部材と、前記液体噴射手段側の所定部位と、を同電位とする同電位形成手段と、
を備えていることを特徴とする液体噴射装置。
【請求項２】
請求項１に記載の液体噴射装置において、前記液体噴射手段が、被噴射媒体の搬送方向に沿って前記液体噴射ノズルが複数配置されて成るノズル列を有するとともに、被噴射媒体の搬送方向と直交する方向に移動しながら被記録媒体に対し記録を行う構成を備え、
前記導電性部材が、前記液体噴射手段に対し被噴射媒体の搬送方向と直交する方向の側方に設けられている、
ことを特徴とする液体噴射装置。
【請求項３】
請求項２に記載の液体噴射装置において、前記導電性部材が、前記液体噴射手段に対し被噴射媒体の搬送方向と直交する方向の両側に設けられている、
ことを特徴とする液体噴射装置。
【請求項４】
請求項１から３のいずれか１項に記載の液体噴射装置において、前記導電性部材の先端が、被噴射媒体との間に所定の間隔を形成する様設けられていることを特徴とする液体噴射装置。
【請求項５】
請求項１から４のいずれか１項に記載の液体噴射装置において、前記導電性部材が、前記液体噴射手段に対し被噴射媒体の搬送方向の上流側に設けられている、
ことを特徴とする液体噴射装置。
【請求項６】
請求項１から５のいずれか１項に記載の液体噴射装置において、前記液体噴射手段と対向配置される、被噴射媒体を支持する被噴射媒体支持手段を備え、
前記同電位形成手段が、前記導電性部材及び前記液体噴射手段側の所定部位に加え、前記被噴射媒体支持手段の所定部位を同電位とする、
ことを特徴とする液体噴射装置。
【発明の詳細な説明】
【技術分野】
【０００１】
本発明は、ファクシミリやプリンターに代表される液体噴射装置に関する。
【背景技術】
【０００２】
以下、液体噴射装置の一例としてのインクジェットプリンターを例に説明する。インクジェットプリンターは、インクジェット記録ヘッドと対向する位置に支持部材（プラテンとも呼ばれる）を有し、支持部材により記録用紙を支持することによりインクジェット記録ヘッドと記録用紙との間の距離を規定するよう構成されている。
【０００３】
ここで、近年のインクジェットプリンターにおいては、記録品質のより一層の向上を目指してインク滴の微細化が進み、例えば数ｐｌ程度までインク滴が微細化されている。この為インク滴の質量が極めて小さく、インクジェット記録ヘッドから記録用紙にインク滴が吐出されても、一部が記録用紙に着弾せず、ミストとなって浮遊し、種々の問題を発生させていた。加えて、記録用紙の四辺に余白なく記録を行う、いわゆる縁無し記録においては、記録用紙の端部から外れた領域にもインク滴を吐出する為、上記のミスト浮遊現象がより一層顕著になる。
【０００４】
そこで従来から、特許文献１、２に示すようにインクジェット記録ヘッド、記録用紙、支持部材のこれらの間に電位差を設け、電界を発生させることでインク滴にクーロン力を作用させ、インク滴を記録用紙に引きつける技術が提案されている。
【０００５】
また、電位を制御するという観点で共通する技術として、特許文献３には、記録媒体の帯電に伴う紙ジャムなどを防止するために、記録用紙を除電する為の除電ブラシを走査型ヘッドに搭載し、記録媒体の各領域における除電を選択的に行うように構成された画像形成装置も記載されている。
【先行技術文献】
【特許文献】
【０００６】
【特許文献１】特開２００７−１１８３２１号公報
【特許文献２】特開２００７−１１８３１８号公報
【特許文献３】特開２００９−７１１９号公報
【発明の概要】
【発明が解決しようとする課題】
【０００７】
＜＜１．記録用紙の高速搬送化に伴って生じた課題＞＞  
ところで近年のインクジェットプリンターにおいては、特にビジネス用途などにおいて高速化が進み、これに伴い用紙の搬送速度が従来に比べて大幅に増加している。さらにインクジェット記録ヘッドが用紙搬送方向と直交する方向に移動しながら記録を行う所謂シリアルタイプのインクジェットプリンターにおいては、用紙が停止している間にヘッド走査（記録）が実施されるため、スループットの低下を防止するため、更に用紙搬送速度を高める必要がある。
【０００８】
また、近年のインクジェットプリンターにおいては、走査（移動）を行わない固定式のインクジェット記録ヘッド、いわゆるラインヘッドを用い、極めて高いスループットにより記録を実行可能なものが提案されている。このようなインクジェットプリンターでは、記録用紙は装置内部の用紙搬送経路を極めて高速に搬送される。
【０００９】
しかしながらこの様な記録用紙の高速搬送化に伴って、以下のような問題が生じることが判明した。即ち、記録用紙の端部（エッジ）には、切断時に生じた紙粉が付着しているが、記録用紙・支持部材（プラテン）・インクジェット記録ヘッド、のこれら３つの要素（以下「記録部構成要素」と総称する）の間の電位を制御しない場合、記録部構成要素間に生じた電界により、記録用紙に付着していた紙粉がインクジェット記録ヘッドに向かって飛翔し、付着してしまう。特に、高速で記録用紙を搬送する場合には、用紙搬送の際の振動や衝撃が大きくなり、そのため紙粉の飛翔がより一層顕著に生じてしまう。
【００１０】
また、用紙カセットに収容された記録用紙間の摩擦や、用紙搬送経路の構成要素（例えば、エッジガイドや、搬送ローラーなど）と記録用紙との間の摺接・接触に伴い、摩擦帯電や剥離帯電が顕著となり、即ち記録部構成要素がより顕著に帯電する。その結果、記録部構成要素間に形成される電界が強くなり、また紙粉自体の帯電も強くなる為、紙粉に加わるクーロン力が大きくなって、インクジェット記録ヘッドへの紙粉の付着がより顕著になってしまう。
【００１１】
また、紙粉自体が帯電していない場合であっても、飛翔した紙粉が電界中に置かれた場合には、誘電分極或いは静電誘導によって紙粉に電荷の偏りが生じ、これによりインクジェット記録ヘッドの側に引きつけられてしまう。
【００１２】
図９はこの問題点を示す為の説明図であり、符号４２０はインクジェット記録ヘッド、符号４２０ａはノズルプレート、符号３９０は支持部材（プラテン）、符号３９０ａは支持部材３９０に形成されるリブを示している。また符号Ｐは記録用紙を、符号Ｐｅは用紙端部を、符号ｄは紙粉を示している。更に丸囲いされた「＋」、「−」は、帯電極性を示している。
【００１３】
記録用紙Ｐは除電ブラシなどにより除電されており、従ってこの記録用紙Ｐに付着している紙粉ｄは帯電はしていない。しかしながら、紙粉ｄの拡大図に示すように、ノズルプレート４２０ａがプラス帯電し、また支持部材３９０がマイナス帯電している場合（一例）には、誘電分極（紙粉ｄが誘電体の性質を有している場合）或いは静電誘導（紙粉ｄが導体の性質を有している場合）によって、紙粉ｄのノズルプレート側にはマイナス電荷が表れ、支持部材側にはプラス電荷が表れる。そしてこれにより、紙粉ｄはノズルプレート４２０ａ及び支持部材３９０のいずれの側にも引き寄せられてしまうことになる。
【００１４】
そして紙粉がインクジェット記録ヘッドに付着すると、紙粉がノズル開口を直接閉塞することにより、或いはノズル面の清掃（ワイピング）時に紙粉がノズル開口に移動することによって、ドット抜けを招くことになる。
【００１５】
また、このように紙粉がノズル開口を物理的に閉塞するほか、紙粉を構成する炭酸カルシウムなどの填料がインクの水分と反応して増粘し、ノズル開口のメニスカスの振動を阻害して、インク滴吐出の妨げになる場合もある。従って、インクジェット記録ヘッドへの紙粉の付着を防止することは、インクジェットプリンターにおいて適切な記録品質を得るために極めて重要となる。
【００１６】
＜＜２．従来技術の問題点＞＞  
上記特許文献１、２には、上述のようにインクジェット記録ヘッド・記録用紙・支持部材（記録部構成要素）のこれらの間に電位差を設け、電界を発生させることでインク滴にクーロン力を作用させ、インク滴を記録用紙に引きつける技術が提案されている。従って紙粉をインク滴と同列にみなせば、電界を制御することで紙粉を記録用紙側に引きつけることにより、インクジェット記録ヘッドへの紙粉の付着を防止できるようにも思われる。
【００１７】
しかしながら、紙粉を構成するセルロース繊維と填料は、帯電列的にプラス、マイナスいずれの極性にも帯電し易く、従って記録部構成要素間に特定方向の電界を形成することでインクジェット記録ヘッド側への紙粉の飛翔を防止しようとしても、反対極性に帯電した紙粉の、インクジェット記録ヘッド側への飛翔を防止することはできない。
【００１８】
また、特許文献３に記載された画像形成装置によれば、記録媒体の各領域における除電を選択的に行うことができるので、状況に応じて除電の程度をコントロールでき、除電の不足や過度な除電を防止できるものの、その限りであり、インクジェット記録ヘッドへの紙粉の付着については何ら考慮されていない。
【００１９】
＜＜３．本願発明が解決を図る課題＞＞  
本発明は上述した種々の問題に鑑み成されたものであり、その目的は、インクジェット記録ヘッドへの紙粉・塵埃等の異物（以下「紙粉等」と言う）の付着を確実に防止することにある。
【課題を解決するための手段】
【００２０】
上記課題を解決する為の本発明の第１の態様は、被噴射媒体に液体を噴射する液体噴射ノズルを複数備えた液体噴射手段と、前記液体噴射手段に隣接して設けられ、少なくとも前記液体噴射ノズルの配置領域をカバーする幅を有するとともに設置状態において前記配置領域をカバーする、先端が被噴射媒体と対向する導電性部材と、前記導電性部材と前記液体噴射手段側の所定部位とを同電位とする同電位形成手段と、を備えていることを特徴とする。
【００２１】
本態様によれば、液体噴射手段に隣接する位置には先端が被噴射媒体と対向する導電性部材が設けられており、同電位形成手段によって液体噴射手段の所定部位と同電位に設定されるので、被噴射媒体及びこれに付着した紙粉等の電位が液体噴射手段の所定部位と同電位に近づき、或いは同電位になり、これにより被噴射媒体及びこれに付着した紙粉等と、液体噴射手段と、の間の電界が極めて弱いか、或いは電界が殆ど形成されない状態となる（以下では便宜上この様な状態を無電界状態と言う）。
【００２２】
その結果、被噴射媒体と液体噴射手段との間に電界が形成されるとともにこれが紙粉等にクーロン力を及ぼすということがなく、これにより液体噴射手段側への紙粉等の飛翔・付着を防止することができる。また、導電性部材により液体噴射手段が遮蔽される効果が得られ、液体噴射手段に向けて飛翔する紙粉等を物理的にブロックすることができる。
【００２３】
そして上記導電性部材は、少なくとも前記液体噴射ノズルの配置領域をカバーする幅を有するとともに設置状態において前記配置領域をカバーするので、液体噴射ノズルの配置領域において上記作用効果が効果的に得られることで液体噴射ノズルへの紙粉等の付着をより確実に防止できる。
【００２４】
本発明の第２の態様は、第１の態様において、前記液体噴射手段が、被噴射媒体の搬送方向に沿って前記液体噴射ノズルが複数配置されて成るノズル列を有するとともに、被噴射媒体の搬送方向と直交する方向に移動しながら被記録媒体に対し記録を行う構成を備え、前記導電性部材が、前記液体噴射手段に対し被噴射媒体の搬送方向と直交する方向の側方に設けられていることを特徴とする。
【００２５】
本態様によれば、前記導電性部材が、前記液体噴射手段に対し被噴射媒体の搬送方向と直交する方向の側方に設けられており、前記液体噴射手段の移動に伴い紙粉等の付着が著しい被噴射媒体の端部に対して前記導電性部材の効果が得られるので、導電性部材による液体噴射ノズルへの紙粉等の付着を効果的に防止できる。
【００２６】
本発明の第３の態様は、第２の態様において、前記導電性部材が、前記液体噴射手段に対し被噴射媒体の搬送方向と直交する方向の両側に設けられていることを特徴とする。本態様によれば、前記導電性部材が、前記液体噴射手段に対し被噴射媒体の搬送方向と直交する方向の両側に設けられているので、上述した第２の態様の作用効果をより確実に得ることができる。
【００２７】
本発明の第４の態様は、第１から第３の態様のいずれかにおいて、前記導電性部材の先端が、被噴射媒体との間に所定の間隔を形成する様設けられていることを特徴とする。  
【００２８】
本態様によれば、前記導電性部材の先端が、被噴射媒体との間に所定の間隔を形成する様に、即ち被噴射媒体に接触しない様に設けられているので、導電性部材先端が被噴射媒体の表面にダメージを与えることを防止できる。特に、既に液体噴射が行われた被噴射媒体に導電性部材先端が接すると、液体が導電性部材先端に付着し、これが被噴射媒体を汚損するおそれがあるが、その様な不具合も防止できる。
【００２９】
これは特に、液体噴射手段が被噴射媒体の搬送方向と直交する方向に移動しながら液体噴射を行う所謂シリアル型の場合に有効である。また、被噴射媒体の両面に液体噴射をおこなう場合、おもて面に液体噴射を行った後に被噴射媒体をバックフィードする場合などにも有効である。
【００３０】
本発明の第５の態様は、第１から第４の態様のいずれかにおいて、前記導電性部材が、前記液体噴射手段に対し被噴射媒体の搬送方向の上流側に設けられていることを特徴とする。
【００３１】
本態様によれば、前記導電性部材が、前記液体噴射手段に対し被噴射媒体の搬送方向上流側に設けられているので、液体噴射の実行前に被噴射媒体の電位が液体噴射手段の所定部位と同電位に近づき、或いは同電位となる。従って液体噴射領域において確実に無電界状態が形成され、液体噴射手段への紙粉等の飛翔・付着をより確実に防止することができる。
【００３２】
本発明の第６の態様は、第１から第５の態様のいずれかにおいて、前記液体噴射手段と対向配置される、被噴射媒体を支持する被噴射媒体支持手段を備え、前記同電位形成手段が、前記導電性部材及び前記液体噴射手段側の所定部位に加え、前記被噴射媒体支持手段の所定部位を同電位とすることを特徴とする。
【００３３】
本態様によれば、前記同電位形成手段が、前記導電性部材及び前記液体噴射手段側の所定部位に加え、前記被噴射媒体支持手段の所定部位を同電位とするので、被噴射媒体に対し液体噴射を行う液体噴射領域においては、液体噴射手段、被噴射媒体、被噴射媒体支持手段、のこれらの間に殆ど電界が形成されない状態となり、液体噴射手段への紙粉等の飛翔・付着をより確実に防止することができる。
【図面の簡単な説明】
【００３４】
【図１】本発明に係るインクジェットプリンターの用紙搬送経路を示す側断面概略図。
【図２】キャリッジ及びインクジェット記録ヘッドを下方から見た斜視図。
【図３】インクジェット記録ヘッドのヘッド面の平面図。
【図４】本発明に係るインクジェットプリンターの記録実行領域の側面図。
【図５】本発明に係るインクジェットプリンターの記録実行領域の正面図。
【図６】本発明の他の実施形態に係るインクジェットプリンターの記録実行領域の側面図。
【図７】本発明の他の実施形態に係るインクジェットプリンターの記録実行領域の側面図。
【図８】本発明の他の実施形態に係るインクジェットプリンターの記録実行領域の平面図。
【図９】従来技術の問題点を説明する為の説明図。
【発明を実施するための形態】
【００３５】
以下、図面を参照しながら本発明の実施形態について説明する。ここで、図１は本発明に係るインクジェットプリンター１の用紙搬送経路を示す側断面概略図、図２はキャリッジ４０及びインクジェットインクジェット記録ヘッド４２を下方から見た斜視図、図３はインクジェットインクジェット記録ヘッド４２の平面図、図４はインクジェットプリンター１の記録実行領域の側面図、図５は同正面図である。また図６及び図７は本発明の他の実施形態に係るインクジェットプリンターの記録実行領域の側面図、図８は同正面図である。尚、図１及び図３〜図８ではｘ−ｙ−ｚ座標系を示しており、ｙ方向は用紙搬送方向、ｘ方向は用紙搬送方向と直交する方向（以下、用紙幅方向或いは主走査方向と言う）、ｚ方向は装置高さ方向を表している。
【００３６】
以下では先ず、インクジェットプリンター１の全体構成について概説する。尚、図１はインクジェットプリンター１の用紙搬送経路上に配置されるローラーを図示する為に、ほぼ全てのローラーを同一面上に描いているが、その奥行き方向（図１の紙面表裏方向）の位置は必ずしも一致しているとは限らない（但し一致している場合もある）。
【００３７】
インクジェットプリンター１は、装置底部に給送装置２を備え、当該給送装置２から、「被記録媒体」の一例としての用紙（主として単票紙：以下「用紙Ｐ」と言う）を１枚ずつ給送し、記録手段４において記録（インクジェット記録）を行い、装置前方側（図１において左側）に設けられた図示しない排紙スタッカへ向けて排出される構成を備えている。
【００３８】
給送装置２は、用紙カセット１１と、分離部材１２と、ピックアップローラー１６と、ガイドローラー２０と、分離手段２１と、を備えている。  
複数枚の用紙Ｐを積層状態で収容可能な用紙カセット１１は、給送装置２の装置本体に対し、装置前方側から装着及び取り外し可能に構成されている。
【００３９】
図示しないモーターによって回転駆動されるピックアップローラー１６は、揺動軸１８を中心に揺動する揺動部材１７に設けられており、用紙カセット１１に収容された用紙Ｐの最上位のものと接して回転することにより、当該最上位の用紙Ｐを用紙カセット１１から送り出す。
【００４０】
用紙カセット１１に収容された用紙先端と対向する位置には、分離部材１２が設けられており、ピックアップローラー１６の回転により繰り出された給送されるべき最上位の用紙Ｐの先端が分離部材１２に摺接しつつ下流側に進むことで、次位以降の用紙Ｐとの第１段階分離が行われる。
【００４１】
分離部材１２の下流側には自由回転可能なガイドローラー２０が設けられ、このガイドローラー２０の下流側には、分離ローラー２２と駆動ローラー２３とを備えて構成された、１枚目用紙Ｐと次位以降の用紙Ｐとの第２段階分離を行う分離手段２１が設けられている。
【００４２】
分離手段２１の下流側には、図示しないモーターにより回転駆動される駆動ローラー２６と、駆動ローラー２６との間で用紙Ｐをニップして従動回転するアシストローラー２７と、を備えて構成された第１中間送り部２５が設けられており、この第１中間送り部２５により、用紙Ｐが更に下流側へと送られる。尚、符号２９は、用紙後端が湾曲反転経路を通過する際の通紙負荷を軽減する従動ローラーを示している。
【００４３】
従動ローラー２９の下流側には図示しないモーターにより回転駆動される駆動ローラー３２と、駆動ローラー３２との間で用紙Ｐをニップして従動回転するアシストローラー３３と、を備えて構成された第２中間送り部３１が設けられており、この第２中間送り部３１により、用紙Ｐが更に下流側へと送られる。
【００４４】
第２中間送り部３１の下流側には、記録手段４が配置されている。記録手段４は、搬送手段５と、インクジェット記録ヘッド４２と、用紙支持部材３９と、排出手段６と、を備えている。
【００４５】
搬送手段５は、モーターによって回転駆動される搬送駆動ローラー３５と、該搬送駆動ローラー３５に圧接して従動回転するよう上部案内部材３７に軸支される搬送従動ローラー３６とを備えて構成されている。
【００４６】
搬送手段５に到達した用紙Ｐは、搬送駆動ローラー３５と搬送従動ローラー３６とによってニップされた状態で搬送駆動ローラー３５が回転することにより、下流側へと精密送りされる。
【００４７】
続いてインクジェット記録ヘッド４２はキャリッジ４０の底部に設けられ、当該キャリッジ４０は主走査方向に延びるキャリッジガイド軸４１にガイドされながら、図示しない駆動モーターによって主走査方向に往復動する様に駆動される。
【００４８】
符号４２ｂはインクジェット記録ヘッド４２において用紙支持部材３９と対向する第１の側を形成する、複数のインク吐出ノズル（図示省略）が形成された金属製のノズルプレートを示している。また符号３９ａ、３９ｂ、３９ｃは用紙支持部材３９に形成された、用紙搬送方向に延びるリブであり、当該リブ３９ａ〜３９ｃは用紙幅方向に適宜の間隔を空けて複数形成され、当該リブ３９ａ〜３９ｃによって記録用紙Ｐが支持される。
【００４９】
そしてインクジェット記録ヘッド４２の走査（キャリッジ４０が移動しながらの、インクジェット記録ヘッド４２からのインク吐出）と、搬送駆動ローラー３５及び搬送従動ローラー３６による用紙搬送動作と、が交互に繰り返し実行されることで、用紙Ｐへの記録が完了する。
【００５０】
尚、本実施形態においては、この様にインクジェットプリンター１はインクジェット記録ヘッド４２が用紙幅方向に移動しながらインクを吐出する所謂シリアル型であるが、これに限定されるものではなく、インクジェット記録ヘッド４２が用紙幅をカバーする長さに形成された所謂ラインヘッドであり、記録ヘッドを用紙幅方向に往復動させることなく、記録用紙Ｐを用紙搬送方向に移動させるのみで記録が実行可能なインクジェットプリンターにも本発明は適用可能である。
【００５１】
また、本実施形態においてはキャリッジ４０はインクカートリッジを搭載しない所謂オフキャリッジタイプであり、インクカートリッジ（図示せず）がキャリッジ４０から独立して設けられ、インク供給チューブ（図示せず）を介してインクカートリッジからインクジェット記録ヘッド４２へとインクが供給されるように構成されている。しかしながら、本発明がインクカートリッジをキャリッジ４０に搭載した所謂オンキャリッジタイプにも適用可能であることは言うまでもない。
【００５２】
続いてインクジェット記録ヘッド４２の下流側には、記録の行われた用紙Ｐを排出する排出手段６が設けられている。排出手段６は図示しないモーターによって回転駆動される排出駆動ローラー４４と、当該排出駆動ローラー４４に接して従動回転する排出従動ローラー４５とを備えて構成され、記録手段４によって記録の行われた用紙Ｐは、排出手段６により、装置前方側に設けられた図示を省略するスタッカへと排出される。
【００５３】
以上がインクジェットプリンター１の概要であり、以下、記録領域の特徴的構成について図２〜図８を参照しながら説明する。
【００５４】
図２〜図５は、本発明の第１実施形態を示している。符号５２はインクジェット記録ヘッド４２に隣接するように取り付けられた導電性部材としての導電性ブラシを示しており、図示するように導電性ブラシ５２はインクジェット記録ヘッド４２に対し、主走査方向に隣設する側方位置に、１つ設けられている。
【００５５】
図２及び図３において符号４３はインク吐出ノズルが用紙搬送方向に沿って複数配置されて成るノズル列を示しており、このノズル列４３はノズル面４２ａにおいて主走査方向に適宜の間隔を空けて複数配置されている。図３において符号Ｗ１はノズル列４３の長さを示しており、また符号Ｗ２は導電性ブラシ５２の幅を示している。図示するように、導電性ブラシ５２は、ノズル列４３の配置領域をカバーする幅Ｗ２を有するとともに、設置状態においてノズル列４３の配置領域をカバーするように（ｙ方向においてノズル列４３を包含するように）配置されている。
【００５６】
導電性ブラシ５２は、その先端が記録用紙Ｐと対向するように設けられており、本実施形態ではブラシ先端が記録用紙Ｐに接しないように、即ち所定の間隔を形成するように、その突出量が設定されている。
【００５７】
次いで、図４及び図５において符号５０Ａは同電位形成手段を示している。同電位形成手段５０Ａは、本実施形態では導電性ブラシ５２、ノズルプレート４２ｂ、のこれらを同電位とする手段である。より詳しくは、導電性ブラシ５２はブラシが例えば表面抵抗率が１０２〜１０８Ω/□程度の導電性を有する材料により形成されており、またノズルプレート４２ｂが金属プレートであって、そしてこれらがアース接続されている。
【００５８】
従ってこれにより導電性ブラシ５２のブラシ先端が対向する記録用紙Ｐと、ノズルプレート４２ｂとがアース（０）電位に導かれる。即ち、記録用紙Ｐ（およびこれに付着した紙粉等）と、ノズルプレート４２ｂとが同電位となり、これらの間に電界が形成されない状態（無電界状態）が形成される。
【００５９】
以上の様に構成されたことにより、インクジェットプリンター１の記録領域においては、記録用紙Ｐに付着した紙粉等にクーロン力を及ぼすということがなく、これによりノズルプレート４２ｂ側への紙粉等の飛翔・付着をより確実に防止することが可能となっている。
【００６０】
加えて、導電性ブラシ５２により、ノズルプレート４２ｂがｘ方向に対し遮蔽される効果が得られ、ノズルプレート４２ｂに向けて飛翔する紙粉等を物理的にブロックすることができる。
【００６１】
そして導電性ブラシ５２は、少なくともノズル列４３の配置領域をカバーする幅を有するとともに設置状態において前記配置領域をカバーするので、インク吐出ノズルの配置領域において上記作用効果が効果的に得られることでノズルプレート４２ｂへの紙粉等の付着をより確実に防止できる。
【００６２】
更に、導電性ブラシ５２はその先端が記録用紙Ｐに接しないので、記録用紙Ｐの表面にダメージを与えることを防止できる。特に、既にインクの吐出が行われた用紙表面にブラシ先端が接すると、インクがブラシ先端に付着し、これが記録面を汚損するおそれがあるが、その様な不具合の発生が防止できる。尚、この様にブラシ先端が記録用紙Ｐに接していない場合であっても、ブラシ先端が記録面に近接していることで用紙電位を所望する電位に誘導することができる。
【００６３】
尚、本実施形態では導電性ブラシ５２をインクジェット記録ヘッド４２の一方側の側方にのみ設けたが、両側に設けても良い。これにより、より一層ノズルプレート４２ｂへの紙粉等の付着を更に確実に防止できる。また、導電性ブラシ５２の幅Ｗ１は、ノズル列４３の長さＷ１より大きくしているが、ノズルプレート４２の幅より大きくしても良いし、インクジェット記録ヘッド４２の幅より大きくしても良い。即ち、少なくともノズル列４３の長さＷ１より大きければ良い。
【００６４】
次に、図６は本発明の第２実施形態を示している。本実施形態において上記第１実施形態と異なるのは、符号５０Ｂで示す同電位形成手段であり、この同電位形成手段５０Ｂは導電性ブラシ５２及びノズルプレート４２ｂに加えて、用紙支持部材３９も同電位に設定している。尚、用紙支持部材３９は、本実施形態では樹脂材料に金属、炭素等の導電性材料を混入したことにより、例えば表面抵抗率が１０２〜１０８Ω/□程度の導電性を有するように形成されている。
【００６５】
以上のように構成されたことにより、当該第２実施形態では、ノズルプレート４２ｂ、記録用紙Ｐ、用紙支持部材３９、のこれらの間に電界が形成されない状態となり、ノズルプレート４２ｂへの紙粉等の飛翔・付着をより確実に防止できる。
【００６６】
次に図７及び図８は本発明の第３実施形態を示している。本実施形態において上記実施形態と異なるのは、導電性ブラシ５１を更に備える点、および符号５０Ｃで示す同電位形成手段である。より詳しくは、インクジェット記録ヘッド４２には主走査方向両側の導電性ブラシ５２に加えて、用紙搬送方向上流側に導電性ブラシ５１が設けられている（ブラシ本体の構成は導電性ブラシ５２と同じである）。
【００６７】
そしてこれら導電性ブラシ５１、５２が、ノズルプレート４２ｂとともにアース接続されている。尚、導電性ブラシ５１は、ブラシ先端が記録用紙Ｐに接するように、その突出量が設定されている。
【００６８】
以上のように構成されたことにより、インクジェット記録ヘッド４２の主走査方向両側の導電性ブラシ５２による作用効果に加え、インクジェット記録ヘッド４２の上流側に設けられた導電性ブラシ５１によって、記録実行前に記録用紙Ｐの電位がノズルプレート４２ｂと同電位に近づき、或いは同電位となる。従って記録領域において確実に無電界状態が形成され、ノズルプレート４２ｂへの紙粉等の飛翔・付着をより確実に防止することができる。
【００６９】
また、導電性ブラシ５１については、ブラシ先端が記録用紙Ｐと接することで、用紙上にある紙粉等を除去することもでき、更にブラシ先端により用紙の浮き上がりを防止でき、記録用紙Ｐとインクジェット記録ヘッド４２との間のギャップを安定化することで記録品質の低下を防止できる。
【００７０】
尚、ブラシ先端が記録用紙Ｐの記録面に対しダメージを与えないよう接触することが好ましく、ブラシ先端が記録用紙Ｐを過剰に押圧しないよう、その突出量を調整するのが好ましい。
【００７１】
本実施形態においても、図６を参照しつつ説明した第２実施形態のように、導電性ブラシ５１、５２及びノズルプレート４２ｂに加えて、用紙支持部材３９も同電位形成手段５０Ｃに接続し、これら全てを同電位に設定することもできる。
【００７２】
＜＜上記実施形態の変形例＞＞  
（１）同電位形成手段  
上記実施形態においては、同電位形成手段５０Ａ〜５０Ｃによって導電性ブラシ（５２、５１）、ノズルプレート４２ｂ、のこれら、或いはこれらに加えて更に用紙支持部材３９が同電位に設定さているが、この様に各構成要素間を同電位に設定する場合には、必ずしもアース接続に限られず、任意極性の任意の電位を与えることができる。即ち、或る２つの構成要素が同電位に設定されていれば、これらの間に電界が形成されないので、紙粉の飛散に対しては有効となる。
【００７３】
（２）導電性ブラシ  
上記実施形態、特に図７及び図８に示した第３実施形態では、導電性ブラシを少なくともインクジェット記録ヘッド４２に対し用紙搬送方向上流側と、主走査方向両側に設けたが、更に用紙搬送方向下流側に設けることで、導電性ブラシによりインクジェット記録ヘッド４２を囲うこともできる。この場合、ブラシ先端が記録の行われた記録面を汚損しないよう、用紙搬送方向下流側に設ける導電性ブラシはその先端が記録面に接触しないよう設けることが好ましい。また、用紙搬送方向上流側に設ける導電性ブラシ（５１）につき、その先端が記録面に接触しないように設けることもできる。
【００７４】
また、記録用紙Ｐの厚みによって記録面の位置と導電性ブラシ先端位置とに変化が生じるので、特にブラシ先端を記録面に接触させる場合には、使用が想定される複数種類の記録用紙Ｐのうち最も紙厚の薄いものを考慮してブラシ先端の突出量を設定することが好ましい。また、ブラシ先端を記録面に接触させないようにする場合には、使用が想定される複数種類の記録用紙Ｐのうち最も紙厚の厚いものを考慮してブラシ先端の突出量を設定することが好ましい。
【００７５】
更に、上記各実施形態では用紙幅方向に移動するインクジェット記録ヘッド４２に対し導電性ブラシを設けているが、用紙幅方向に移動しない所謂ラインヘッドに設けることも可能であることは言うまでもない。
【００７６】
（３）ノズルプレート
上記実施形態において、ノズルプレート４２ｂの表面に撥水膜を設けることもできる。ここで、導電性の撥水膜を用いれば、撥水膜の帯電を抑制でき、ノズルプレート４２ｂに紙粉等が付着することを抑制することができるとともに、ノズルプレート側の電位を確実に制御できる。
【００７７】
また、絶縁性の撥水膜を用いれば、ＳＵＳ等の金属で形成されたノズルプレート４２ｂの鏡像力（ノズルプレートに電荷を持った紙粉等が近づくと、ノズルプレート側にそれと反対の電荷が表れ、互いに引きつけあう現象）を軽減でき、ノズルプレート近傍に舞い上がった紙粉等がノズルプレート４２ｂに引き寄せられることを防止できる。
【００７８】
尚、インクジェット記録ヘッド４２において所定電位を与える或いは除電する（電位コントロールする）所定部位は、インクジェット記録ヘッド４２において最も用紙支持部材３９側、即ちノズルプレート４２ｂが好ましく、より具体的には用紙支持部材３９と対向する面であるノズル面４２ａであることが好ましい。
【００７９】
これにより、記録用紙Ｐに最も近接しているノズル面４２ａの電位が制御されるので、周囲からの回り込み電界を抑制することができるとともに、ノズル面４２ａへの紙粉等の付着を効果的に防止できる。尚これは用紙支持部材３９側でも同様であり、用紙支持部材３９側の所定部位を電位コントロールする場合には、ノズルプレート４２ｂと対向する側であることが好ましい。
【００８０】
（４）インク滴への電荷付与
ノズルプレート４２ｂに所定電位を与えた場合、インク滴は、ノズルプレート４２ｂを介した誘導電荷によって帯電する。しかしインクを収容するインク収容室（例えば、インクカートリッジなど）からノズルプレート４２ｂに至るインク流路における任意の場所でインク滴に電荷を付与するようにしても良い。例えば、インク収容室の内壁の一部、或いは全部を導電性部材で構成し、当該内壁を介してインクに電荷を付与するようにしても良い。
【００８１】
尚、液体としてのインクに導電性ブラシと同じ電位を与えることで、インクジェット記録ヘッド４２と記録用紙Ｐとの間の電界を極めて弱くすることができ、ノズルプレート４２ｂへの紙粉付着防止対策を構成することができる。即ち、例えばノズルプレート４２ｂは金属などの導体に限らず、シリコン、アクリル、ポリイミドなどの誘電体で形成することもできる。
【００８２】
この場合、ヘッド内部のインクの電位をコントロールしないと、ヘッド内部のインクと記録用紙Ｐとの間の電位差による電界が紙粉に強い影響を与え、紙粉がノズルプレート４２ｂ側に飛翔する場合がある。しかしながらヘッド内部のインクに導電性ブラシと同じ電位を与えることで、この様な問題を解消することができる。
【００８３】
また、ノズルプレート４２ｂを誘電体で形成する場合、ヘッド内部のインクに電位を与える構成として、ノズルプレートにおけるインク流路部分（インクと接する部位）のみを導電性部材で構成し、この導電性部材を介してインクに電位を与えることも可能である。例えば、ノズルプレートが積層構造をとる場合、その全ての層においてインク流路部分を導電性部材で構成しても良いし、その内の少なくとも一層についてインク流路部分を導電性部材で構成しても良い。
【符号の説明】
【００８４】
１  インクジェットプリンター、３  給送装置、４  記録手段、５  搬送手段、６  排出手段、１１  用紙カセット、１２  分離部材、１６  ピックアップローラー、１７  揺動部材、１８  揺動軸、２０  従動ローラー、２１  分離手段、２２  分離ローラー、２３  駆動ローラー、２５  第１中間送り部、２６  駆動ローラー、２７  アシストローラー、２９  従動ローラー、３１  第２中間送り部、３２  駆動ローラー、３３  アシストローラー、３５  搬送駆動ローラー、３６  搬送従動ローラー、３７  上部案内部材、３９  用紙支持部材、４０  キャリッジ、４１  キャリッジガイド軸、４２  インクジェット記録ヘッド、４２ａ  ノズル面、４２ｂ  ノズルプレート、４３  ノズル列、４４  排出駆動ローラー、４５  排出従動ローラー、５０Ａ〜５０Ｃ  同電位形成手段、５１、５２  導電性ブラシ、Ｐ  記録用紙
【図１】
2011156779.tif 000003
【図２】
2011156779.tif 000004
【図３】
2011156779.tif 000005
【図４】
2011156779.tif 000006
【図５】
2011156779.tif 000007
【図６】
2011156779.tif 000008
【図７】
2011156779.tif 000009
【図８】
2011156779.tif 000010
【図９】
2011156779.tif 000011